(57)【特許請求の範囲】
【請求項１】
符号化されたディジタル画像データを復号し、当該復号されたディジタル画像データを出力するディジタル画像データ出力装置であって、
符号化されたディジタル画像データをフレームを構成するブロック単位で復号すると共に、復号された現フレームのディジタル画像データのブロック毎に、当該ブロックのディジタル画像データが、前記ブロックに対応する位置の前フレームのブロックのディジタル画像データから更新されているか否かの更新情報と、前記復号された現フレームのディジタル画像データと、を出力するディジタル画像データ復号器と、
当該更新情報に基づいて、更新があった前記現フレームのブロックのディジタル画像データのみを転送するディジタル画像データ転送装置と、
当該転送されたディジタル画像データをフレーム単位で蓄積するディジタル画像データ表示用メモリと
を備えるディジタル画像データ出力装置。
【請求項２】
復号された現フレームのディジタル画像データと、他のディジタル画像データとを重畳した現重畳フレームのディジタル画像データを蓄積する画像再構成用メモリを備え、
ディジタル画像データ転送装置は、当該現重畳フレームと更新情報とが入力され、当該更新情報に基づいて、更新があった前記現重畳フレームのブロックのディジタル画像データのみを転送すること
を特徴とする請求項１に記載のディジタル画像データ出力装置。
【請求項３】
ディジタル画像データ復号器から出力された現フレームのディジタル画像データと更新情報とから、更新があった前記現フレームのブロックのディジタル画像データのみを出力する第２のディジタル画像データ転送装置を備え、
画像再構成用メモリは、当該第２のディジタル画像データ転送装置から出力されたディジタル画像データと、他のディジタル画像データとを重畳した現重畳フレームのディジタル画像データを蓄積すること
を特徴とする請求項２に記載のディジタル画像データ出力装置。
【請求項４】
入力されたディジタル画像データをフレーム単位で符号化すると共に、フレームを構成するブロック毎に、現フレームのディジタル画像データが、前記ブロックに対応する位置の前フレームのブロックのディジタル画像データから更新されているか否かの更新情報を出力する符号化手段と、
前記符号化されたディジタル画像データを復号する復号手段と、
当該復号手段から出力された前記現フレームのディジタル画像データと、前記更新情報とに基づいて、更新があった前記現フレームのブロックのディジタル画像データのみを転送するディジタル画像データ転送装置と、
当該転送されたディジタル画像データをフレーム単位で蓄積するディジタル画像データ表示用メモリと
を備えるディジタル画像データ出力装置。
【請求項５】
復号手段から出力される現フレームのディジタル画像データと、他のディジタル画像データとを重畳した現重畳フレームのディジタル画像データを蓄積する画像再構成用メモリを備え、
ディジタル画像データ転送装置は、当該現重畳フレームと更新情報とが入力され、当該更新情報に基づいて、更新があった前記現重畳フレームのブロックのディジタル画像データのみを転送すること
を特徴とする請求項４に記載のディジタル画像データ出力装置。
【請求項６】
復号手段から出力される現フレームのディジタル画像データと更新情報とから、更新があった前記現フレームのブロックのディジタル画像データのみを出力する第２のディジタル画像データ転送装置を備え、
画像再構成用メモリは、当該第２のディジタル画像データ転送装置から出力されたディジタル画像データと、他のディジタル画像データとを重畳した現重畳フレームのディジタル画像データを蓄積すること
を特徴とする請求項５に記載のディジタル画像データ出力装置。
【請求項７】
符号化されたディジタル画像データを復号し、当該復号されたディジタル画像データを出力するディジタル画像データ出力方法であって、
符号化されたディジタル画像データをフレームを構成するブロック単位で復号する復号ステップと、
復号された現フレームのディジタル画像データと、当該現フレームのブロック毎に、当該ブロックのディジタル画像データが、前記ブロックに対応する位置の前フレームのブロックのディジタル画像データから更新されているか否かの更新情報と、を出力するディジタル画像データ出力ステップと、
当該更新情報に基づいて、更新があった前記現フレームのブロックのディジタル画像データのみを転送するディジタル画像データ転送ステップと、
当該転送されたディジタル画像データをフレーム単位で蓄積するディジタル画像データ蓄積ステップと、
を備えるディジタル画像データ出力方法。
【請求項８】
入力されたディジタル画像データをフレーム単位で符号化すると共に、フレームを構成するブロック毎に、現フレームのディジタル画像データが、前記ブロックに対応する位置の前フレームのブロックのディジタル画像データから更新されているか否かの更新情報を出力する符号化ステップと、
前記符号化されたディジタル画像データを復号する復号ステップと、
当該復号ステップにて復号された前記現フレームのディジタル画像データと、前記更新情報とに基づいて、更新があった前記現フレームのブロックのディジタル画像データのみを転送するディジタル画像データ転送ステップと、
当該転送されたディジタル画像データをフレーム単位で蓄積するディジタル画像データ蓄積ステップと
を備えるディジタル画像データ出力方法。
【発明の詳細な説明】
【０００１】
【発明の属する技術分野】
この発明は、ディジタル画像出力装置、ディジタル画像復号装置及びディジタル画像符号化装置に関するものである。
【０００２】
【従来の技術】
図１１は、ＬＣＤ（液晶ディスプレイ）を画像表示パネルとして用いた従来のディジタル画像出力装置の構成を示すブロック図である。図１１において、１は、動画像データを圧縮符号化して得られたディジタル画像信号であるビットストリームを受信してこれを復号し、復号されたディジタル画像データを出力するディジタル画像復号器、２はディジタル画像復号器１が出力するディジタル画像データを受信してこれを後述するＬＣＤユニット３に転送する画像データ転送手段、３は画像データ転送手段２から転送されてきたディジタル画像データを表示するＬＣＤユニットである。
【０００３】
尚、ＬＣＤユニット３は、画像データ転送手段２から送られてきたディジタル画像データを蓄えるＬＣＤ用メモリ４と、ＬＣＤ用メモリ４内のデータを読み出してＬＣＤ６を駆動するＬＣＤ駆動回路５と、ディジタル画像データを実際に表示するＬＣＤ６とから構成されており、これらの部分４，５，６が一体となっている。
【０００４】
次に、図１１の装置の動作について説明する。圧縮されて符号となっているビットストリームはディジタル画像復号器１によって復号されて、ディジタル画像データとなる。ここで、例えばＭＰＥＧ−２やＭＰＥＧ−４に代表される様なマクロブロック分割を用いる画像符号化方式やマクロブロックよりも更に細分割された個々のブロック単位毎に符号化を行う画像符号化方式を用いて動画像データを符号化することで得られたビットストリームを復号する場合には、ディジタル画像復号器１の出力はブロック毎のディジタル画像データとなる。そのため、ブロック毎のディジタル画像データをＬＣＤ用メモリ４において１画面のディジタル画像データに再構成する必要がある。ブロック毎の画像出力から１画面のディジタル画像データを再構成する様子を、図１２に示す。
【０００５】
図１２においては、ディジタル画像復号器１からブロックデータが出力されており、画像再構成用メモリを成すＬＣＤ用メモリ４は、左上からデータの書き込みを始め、左から右、上から下の順でデータの書き込みを行うことにより、１画面を再構成する。例えば、ディジタル画像復号器１から出力されるディジタル画像データが１５ｆｐｓ（ｆｒａｍｅ  ｐｅｒ  ｓｅｃ）、即ち、１秒間に１５枚の画像ないしは画面から構成されている場合には、画像再構成用メモリ４は、１秒間に１５枚の画像を再構成することになる。
【０００６】
図１１の画像データ転送手段２は、ディジタル画像復号器１の出力であるディジタル画像データを受信して、同データをＬＣＤユニット３内のＬＣＤ用メモリ４に転送する。このとき、ディジタル画像復号器１から出力されるディジタル画像データが１５ｆｐｓの場合には、画像データ転送手段２は、ディジタル画像復号器１からＬＣＤ用メモリ４へのディジタル画像データの転送を１秒間に１５回行うこととなる。
【０００７】
これに対して、ＬＣＤ用メモリ４は、ＬＣＤ６へ出力するディジタル画像データを蓄積している。又、ＬＣＤ駆動回路５は、ＬＣＤ６を駆動して画像を表示するために、例えば、１秒間に６０回の割合でＬＣＤ用メモリ４からディジタル画像データを読み出して、読み出した同データをＬＣＤ６に送っている。又、ＬＣＤ６は、ＬＣＤ駆動回路５によって駆動されて、画像を表示する。
【０００８】
次に、ＭＰＥＧ−２やＭＰＥＧ−４に代表されるディジタル画像符号化について説明する。但し、後述する本発明においては、ディジタル画像符号化方式はＭＰＥＧ−２やＭＰＥＧ−４の仕様に限定されるものではないことを断っておく。
【０００９】
図１３は、例えばＭＰＥＧ−２やＭＰＥＧ−４で用いられている予測符号化について一般的に説明するための図である。図１３において、２４は符号化を行おうとしている現在のフレームであり、ブロック単位毎に分割して符号化処理が行われる。又、２５は、今まさに符号化を行おうとしているブロックであり、以下、このブロック２５を符号化ブロックと称す。符号化ブロック２５を予測符号化を用いて符号化する場合、先ず、過去のフレーム２６を参照する。即ち、過去のフレーム２６における符号化ブロック２５に対応する位置のブロック２７の周辺において、符号化ブロック２５に似た値を持つブロックを検索する。その結果、見つかったものを参照ブロック２８と定義する。そして、符号化ブロック２５に対応する位置のブロック２７と参照ブロック２８との位置関係を示すベクトルを動きベクトル２９と定義し、この動きベクトル２９の値と、符号化ブロック２５と参照ブロック２８との差分データとを符号化して、伝送する。この方法は、予測符号化と呼ばれる。これにより、予測符号化を行わない場合と比べて、符号量が飛躍的に減少する。
【００１０】
ここで、動きベクトル２９が「０」であり、符号化ブロック２５と、参照ブロック２８、この場合は符号化ブロック２５に対応する位置のブロック２７との差分データが「０」であった場合、即ち、符号化ブロック２５と符号化ブロック２５に対応する位置のブロック２７の値が全く同じであった場合には、ディジタル画像符号化装置（エンコーダ）は、動きベクトル２９の値および差分データを全くディジタル画像復号器側へ伝送しないこととする。これにより、動きのない画像については、はるかに少ない符号量で符号化することが可能となる。
【００１１】
この現象を図１１のディジタル画像復号器１において見てみると、送られてきた符号を復号した結果、動きベクトル及びブロックの差分データが共に送られてきていない場合には、そのブロックは過去のフレームの対応する位置のブロックとまったく同じ値を持っていることとなり、ディジタル画像復号器１はその値をそのまま使用することとなる。
【００１２】
又、符号化を行おうとしているフレーム２４が過去のフレーム２６と全く同じであった場合や、符号化器の符号量制御の関係で符号を送りたくない場合には、１フレーム分の画像データの送信をスキップすることがある。この様子を、図１４に示す。
【００１３】
図１４は、フレームがスキップされている様子を示している。通常の符号化処理では、一定の時間間隔で画像データがフレーム毎に処理される。但し、符号量制御の関係で符号を送りたくない場合等では、フレームがスキップされる。図１４は、フレーム３０が符号化されずにスキップされた例を示している。即ち、例えば１５ｆｐｓのフレームレートで１秒間に１５枚の画像（画面）が伝送されている場合において、それらの内の１フレームがスキップされた場合には、１秒間に１４枚分の画像データが伝送されることとなる。この場合、復号化側では、スキップされたフレームはその直前のフレームと同じものであると判断して、図１１のディジタル画像復号器１は、直前のフレームの画像データをもう一度出力することになる。
【００１４】
次に、携帯電話において実現されるテレビ電話において、従来のディジタル画像出力装置を用いることを想定して、画像復号とディジタル画像出力装置との関係について説明する。
【００１５】
テレビ電話において伝送される画像は、顔画像が中心となる。図１５は、テレビ電話において伝送される典型的な画像である顔画像を説明するための図である。図１５において、３１は顔画像全体を表している。顔画像３１は、斜線によって塗りつぶされた人物部分３２とそれ以外の背景部分３３とから構成される。
【００１６】
顔画像３１において、人物部分３２は比較的動きがあるが、背景部分３３は殆ど変化が無いことが多い。即ち、背景部分３３においては、予測符号化の説明において述べた様に、動きベクトル及びブロックの差分データが符号化器側から復号化器側へ送られず、その結果、復号化器側では、過去の対応するブロックの値をそのまま使用する場合が多い。
【００１７】
又、人物部分３２に動きがなかった場合には、顔画像３１の全体が全く変わらない場合もある。この場合には、予測符号化の説明において述べた様に、フレームそのものがスキップされる場合がある。
【００１８】
これらの現象を、図１１に示した従来のディジタル画像出力装置において見てみると、ディジタル画像復号器１は、ブロックの更新の有無やフレームのスキップの有無に関わらずに、一定の間隔で、例えば１秒間に１５枚の画像データを出力する。従って、例えば、１フレームがスキップされた場合には、ディジタル画像復号器１は同じ１フレーム分の画像データを２回出力することになる。
【００１９】
他方、ＬＣＤ用メモリ４では、あるフレーム中のあるブロックが更新されていない場合には、更新されていない当該ブロックに対応した部分の画像データとしては、ＬＣＤ用メモリ４上にある直前のフレームの対応するブロック画像データと全く同じ値のブロック画像データが上書きされていることになる。又、フレーム全体が更新されない場合には、ＬＣＤ用メモリ４全体の画像データとして、当該メモリ４上にある直前のフレームの画像データに対して、全く同じ値のフレーム画像データが上書きされていることになる。
【００２０】
【発明が解決しようとする課題】
以上の通り、従来の画像データ転送手段は、ブロック毎の画像データの更新状況や１フレーム分の画像データの更新状況についての情報を有していないため、画像データの更新の有無に関わらず、常に一定の間隔で、例えば１秒間に１５回の割合で、フレーム全体の画像データをディジタル画像復号器からＬＣＤ用メモリに転送している。
【００２１】
即ち、従来のディジタル画像出力装置では、動画像の圧縮符号化の段階でブロック更新が行われなかった場合やフレームのスキップが行われた場合にはそもそも転送する必要のない画像データについてまでも通常の画像データと同様にデータ転送を行っているため、結果として無駄な動作が行われている。
【００２２】
特に携帯電話等の様に電池の電力で動作しているような機器の場合においては、消費電力を抑えるということが大きな課題となる。このような点で、上記の様な無駄な動作は、消費電力の点から見ても無駄な電力を消費していることとなる。
【００２３】
この様な問題点は、ディジタル画像符号化装置において、そのローカルデコーダによりモニタリング画像データを生成してこれを画像表示パネル用メモリに転送する際にも、同様に生じているものである。
【００２４】
この発明は、上述のような課題を解消するためになされたものであり、ディジタル画像データの符号化段階で行われた画像データの更新の有無に適応してディジタル画像データの復号・転送を可能とし得る低消費電力のディジタル画像出力装置を提供することを目的としている。
【００２５】
【課題を解決するための手段】
この発明に係るディジタル画像データ出力装置は、
符号化されたディジタル画像データを復号し、当該復号されたディジタル画像データを表示するディジタル画像データ出力装置であって、
符号化されたディジタル画像データをフレームを構成するブロック単位で復号すると共に、復号された現フレームのディジタル画像データのブロック毎に、当該ブロックのディジタル画像データが、前フレームの前記ブロックに対応する位置のブロックのディジタル画像データから更新されているか否かの更新情報と、前記復号された現フレームのディジタル画像データと、を出力するディジタル画像データ復号器と、
当該更新情報に基づいて、更新があった前記現フレームのブロックのディジタル画像データのみを転送するディジタル画像データ転送手段と、
当該転送されたディジタル画像データをフレーム単位で蓄積するディジタル画像データ表示用メモリと
を備えることとしたものである。
【００３９】
【発明の実施の形態】
以下、この発明をその実施の形態を示す図面に基づいて具体的に説明する。
【００４０】
（実施の形態１）
図１は、この発明の実施の形態１に係るディジタル画像出力装置の構成を示すブロック図である。図１において、１ａは、本出力装置の外部の符号化装置（図示せず）によって動画像を圧縮・符号化することによって得られたディジタル信号であるビットストリーム（符号化されたディジタル画像データに相当）を受信してこれを復号した上で、復号されたディジタル画像データＶ１を出力すると共に、受信したビットストリームないしは符号に基づいて、符号化時の画像データの更新の有無に関する情報を与える画像データ更新情報信号（以下、単に画像データ更新情報と称する）Ｖ２を生成・出力するディジタル画像復号器（ディジタル画像復号装置とも称す）である。又、７は、ディジタル画像復号器１ａの第２出力信号である制御データないしは画像データ更新情報Ｖ２を受信して、同信号Ｖ２に基づいて画像データが更新された部分を特定し（逆の観点から見れば非更新部分を特定しているとも言える）、その特定結果を転送制御信号ＶＣＴとして出力することにより画像データ転送手段２ａを制御する画像データ転送領域制御手段である。又、２ａは、ディジタル画像復号器１ａの第１出力信号であるディジタル画像データＶ１と上記転送制御信号ＶＣＴとを受信して、転送制御信号ＶＣＴの指示に基づいて第１出力信号Ｖ１の内から更新部分のディジタル画像データＶ１Ａのみを抽出して、このデータＶ１Ａをディジタル画像データ蓄積装置たるＬＣＤ用メモリ４に転送する画像データ転送手段である。ここで、両手段７，２ａを構成要素とするディジタル画像データ転送装置１００は、画像データ更新情報Ｖ２に基づき符号化時に画像データが更新されている部分を特定し（換言すれば、非更新部分を特定しているとも言える）、当該特定結果に基づいてディジタル画像データＶ１の内で符号化時に更新されている部分のみＶ１Ａ（ここでは、「上記更新部分のみに対応したディジタル画像データ」とは上記更新部分Ｖ１Ａそのものに該当）を転送・出力する機能を有する。
【００４１】
他方、３は、画像データ転送手段２ａから転送されてきたディジタル画像データＶ１Ａを表示するＬＣＤユニットである。ここで、ＬＣＤユニット３は、画像データ転送手段２ａから送られてきたディジタル画像データＶ１Ａを蓄えるＬＣＤ用メモリ（蓄積手段）４と、ＬＣＤ用メモリ４のデータを読み出してＬＣＤ６を駆動するＬＣＤ駆動回路５と、ディジタル画像データを実際に表示するＬＣＤ６とから構成されており、これらの部分３，４，５が一体となっている。
【００４２】
次に、図１のディジタル画像出力装置の動作について説明する。ディジタル画像復号器１ａは、入力信号である符号化されたビットストリームから、第１出力信号としての復号されたディジタル画像データＶ１を出力すると共に、ディジタル画像データＶ１の画像データ更新情報Ｖ２を第２出力信号として画像データ転送領域制御手段７に出力する。
【００４３】
ここで、ディジタル画像復号器１ａの第２出力信号である画像データ更新情報Ｖ２について説明する。
【００４４】
先ず、画像の一部であるブロック単位の更新情報について説明する。例えば、図１３に示した様にブロック毎の予測符号化を行っている場合において、動きベクトル２９が「０」であり、且つ、符号化ブロック２５と参照ブロック２８、この場合は符号化ブロック２５に対応する位置のブロック２７との差分が「０」であった場合には、ディジタル画像符号化装置（図示せず）は符号化ブロック２５の画像データの符号化を行わない。従って、当該符号化ブロック２５の画像データは更新されないことになる。このとき、ディジタル画像復号器１ａは、符号化ブロック２５の画像データが存在しないことを検出し、符号化ブロック２５が更新されていないと解釈して、直前のフレーム情報から対応する位置のブロックのデータを、図１３の場合ではブロック２７に相当するデータを、符号化ブロック２５のディジタル画像データＶ１として出力する。又、ディジタル画像復号器１ａは、符号化ブロック２５のディジタル画像データＶ１の出力と同時に若しくは出力完了後のあるタイミングにおいて、画像データの更新の無い符号化ブロック２５を何らかの形式で以て特定可能な信号を画像データ更新情報Ｖ２として出力する。例えば、１フレームをｍ×ｎ個のブロックに分割するものとし、最上段の最も左側部分のブロックをブロック（０，０）として表すと共に、第１の指標を左から右に移るにつれて数字を１ずつ増やし、且つ、第２の指標を上から下の順番で数字を１つずつ増やしていくことで、各ブロックに番号（ｉ，ｊ）（０≦ｉ≦ｍ−１），（０≦ｊ≦ｎ−１）を付ける。例えば、図１３において、画像データが更新されていない符号化ブロック２５が左から数えて２番目、上から数えて３番目のブロックであった場合には、当該ブロックは（１，２）と表されるので、ディジタル画像復号器１ａは、この番号（１，２）を符号化した上で画像データ更新情報Ｖ２として出力する。これにより、画像データが更新されていない符号化ブロック２５の特定が可能となる。逆に言えば、画像データ更新情報Ｖ２によって特定されていない番号の符号化ブロックは、符号化時に画像データが更新されている部分として特定され得ることになる。尚、更新されていない符号化ブロックが複数ある場合には、ディジタル画像復号器１ａは、これらのすべての番号を出力することになる。
【００４５】
又は、次の様にして、更新されていない符号化ブロックをないしは更新された符号化ブロックを特定することもできる。即ち、ディジタル復号器１ａの第１出力信号であるディジタル画像データＶ１が図１２に示す様にブロック毎に出力されている場合には、符号化の際に画像データが更新されていない符号化ブロックのディジタル画像データＶ１が出力されるタイミングに合わせて、ディジタル画像復号器１ａは、当該符号化ブロックが更新されていないことを意味する信号を画像データ更新情報Ｖ２として生成し出力することにより、更新されていない符号化ブロックを特定することもできる。例えば、ディジタル復号器１ａの第１出力信号Ｖ１として更新されていない符号化ブロックのそれが出力されているときには画像データ更新情報を「１」として与える一方、更新されている符号化ブロックの第１出力信号Ｖ１が出力されているときには画像データ更新情報を「０」として与えるならば、更新されていない符号化ブロックを「１」という情報で以て特定することができる。勿論、上記の「１」と「０」とを逆に定義付けても良い。
【００４６】
又は、ディジタル復号器１ａの第１出力信号ないしはディジタル画像データＶ１として、画像データが更新されている符号化ブロックの復号されたディジタル画像データのみを出力することとし、第２出力信号Ｖ２としては、符号化時に画像データが更新されていない符号化ブロックを特定する信号を、換言すれば、第１出力信号Ｖ１が本復号器１ａから出力されていない符号化ブロックを特定する信号を出力することとしても良い。このときには、画像データ更新情報Ｖ２は、例えば、上記のブロック番号（ｉ，ｊ）を符号化した信号として与えられる。
【００４７】
次に、フレーム単位の更新情報について説明する。例えば、図１４に示す様にフレーム３０がスキップされた結果、フレーム３０全体の画像データが符号化時に更新されていない場合には、ディジタル画像復号器１ａは、フレーム３０を何らの形式で特定できる信号を画像データ更新情報Ｖ２として出力する。具体的には、▲１▼ブロック単位の更新情報と同様に、各フレームに番号付けを行い、画像データが更新されていないフレームの番号を符号化した信号を画像データ更新情報Ｖ２として出力するか、または、▲２▼１フレーム全体の復号されたディジタル画像データＶ１が出力されるタイミングに合わせて、出力中の当該フレームが更新されていないフレームであることを意味する信号を画像データ更新情報Ｖ２として出力するといった方法で実現することができる。
【００４８】
又は、上記で説明したブロック単位の更新情報とフレーム単位の更新情報との両方を画像データ更新情報Ｖ２として出力する様にしても良い。これにより、より細かい制御を行うこともできる。
【００４９】
次に、図１の画像データ転送領域制御手段７は、ディジタル画像復号器１ａの第２出力信号ないしは画像データ更新情報Ｖ２を基にして、ディジタル画像復号器１ａの第１出力信号であるディジタル画像データＶ１の内の何れのデータが更新されていない部分のデータに該当するかを判断する。例えば、画像データ更新情報Ｖ２がブロック又はフレームの番号で以て表されている場合には、本手段７は同情報Ｖ２が与える番号を解釈して、画像データが更新されていないブロックまたはフレームを特定する（換言すれば、更新されているブロック又はフレームを特定する）。そして、同手段７は、解釈した結果（更新されたブロック又はフレームの特定を示す情報）を転送制御信号ＶＣＴとして画像データ転送手段２ａに送信する。
【００５０】
他方、画像データ転送手段２ａは、画像データ転送領域制御手段７が出力する転送制御信号ＶＣＴの指示（更新部分の特定結果）に基づき、ディジタル画像復号器１ａより出力されるディジタル画像データＶ１の内で更新されている部分のディジタル画像データＶ１Ａのみを抽出して当該データＶ１ＡのみをＬＣＤ用メモリ４に転送する。
【００５１】
その後、ＬＣＤ駆動回路５は、ＬＣＤ６を駆動して画像を表示するために、例えば、１秒間に６０回の割合でＬＣＤ用メモリ４からディジタル画像データを読み出してＬＣＤ６に転送する。これにより、ＬＣＤ６はＬＣＤ駆動回路５に駆動されて所望の画像を表示する。この点は、図１１で示した従来技術の例と同じである。
【００５２】
本実施の形態によれば、画像データ転送手段２ａは、画像データ転送領域制御手段７の出力信号に基づいて、ディジタル画像復号器１ａが出力するディジタル画像データＶ１の内で、符号化の際に画像データが更新されている部分のディジタル画像データＶ１ＡのみをＬＣＤ用メモリ４に転送しているので、ディジタル画像復号器１ａが出力する総てのディジタル画像データＶ１をそのままＬＣＤ用メモリ４に転送していた従来例と比べて、予めＬＣＤ用メモリ４上に蓄積されているデータと全く同じデータを転送して同メモリ４上の対応格納部分に上書きしてしまういう無駄な転送動作を防止することが可能となり、消費電力の削減化を図ることができる。
【００５３】
尚、本実施の形態の上記説明では、画像データ更新情報Ｖ２は、更新されていないブロックまたはフレームを特定する信号であったが、これとは逆に、画像データ更新情報Ｖ２を更新されているブロックまたはフレームを特定するものとして構成しても良い。その意味では、画像データ更新情報Ｖ２とは、符号化時の画像データの更新の有無を与える情報であると言える。
【００５４】
又、画像データ更新情報Ｖ２としては、ブロックやフレームの更新情報に限られるものではなく、複数のブロックからなる矩形領域やフィールドやレイヤ構造になっている場合には、特定の矩形領域や特定のフィールドや特定のレイヤなどと言う様に、画像内の特定領域の更新や、一連の画像情報における特定部分の更新を示すものであれば良い。
【００５５】
又、本実施の形態では最終的な画像出力手段をＬＣＤユニット３としているが、これに限られるものではない。要は、画像出力用の画像データ蓄積手段を有している画像出力手段である限りは、他のものであっても良い。例えば、発光素子による画像表示装置でも良い（プラズマディスプレイ装置や有機ＥＬディスプレイ装置やフィールドエミッションディスプレイ装置等）。そして、本実施の形態では、図１の各部１ａ、７，２ａ，４から成る部分が中核部分をなしているので、本装置の最終段の部分は画像表示パネル（ＬＣＤ６等）である必要はなく、例えば、最終的に画像データを蓄積する手段または伝送する手段であっても良い。
【００５６】
（実施の形態２）
本実施の形態は、従来例として示した図１１中のディジタル画像復号器１と画像データ転送手段２との間に、例えばコンピュータグラフィックデータを復号されたディジタル画像データに重畳して１枚の画面を再構成するメモリ８を挿入した従来例に対して、実施の形態１で述べた技術的思想を適用したものに関している。
【００５７】
図２は、この発明の実施の形態２に係るディジタル画像出力装置の構成を示すブロック図である。図２において、回路１００Ａは図１の回路１００と同一機能を有するものであり、１ｂは、圧縮されたディジタル信号であるビットストリームを復号するディジタル画像復号器であり、図１のディジタル画像復号器１ａと同一機能を有するものである。又、８は、ディジタル画像復号器１ｂの第１出力信号Ｖ１に例えばグラフィックデータの静止画像を重畳することにより１枚のディジタル画像を再構成する画像再構成用データ蓄積手段としてのメモリである。又、７は、ディジタル画像復号器１ｂの第２出力信号Ｖ２が与える更新情報に基づいて符号化時に画像データが更新された部分（更新部分）を特定し、その特定結果を転送制御信号ＶＣＴとして出力することにより画像データ転送手段２ｂを制御する画像データ転送領域制御手段であり、図１の画像データ転送領域制御手段７に相当している。又、２ｂは図１の画像データ転送手段２ａに相当する部分であり、ここでは、画像再構成用メモリ８上にある更新部分のみに対応したディジタル画像データを画像データ転送領域制御手段７の指示に応じて読み出してＬＣＤ用メモリ４に転送する画像データ転送手段である。
【００５８】
他方、３は、画像データ転送手段２ｂから転送されてきたディジタル画像データＶ１Ａを表示するＬＣＤユニットである。そして、ＬＣＤユニット３は、画像データ転送手段２ｂから送られてきたディジタル画像データＶ１Ａを蓄えるＬＣＤ用メモリ４と、ＬＣＤ用メモリ４のデータを読み出してＬＣＤ６を駆動するＬＣＤ駆動回路５と、画像データを実際に表示するＬＣＤ６とから構成されており、これらの部分４，５，６が一体となっている。
【００５９】
次に、動作について説明する。ディジタル画像復号器１ｂは、入力信号であるビットストリームから、符号化時のブロック単位又はフレーム単位の画像データの更新の有無とは無関係に、復号されたディジタル画像データＶ１の総てを第１出力信号として画像再構成用メモリ８に出力すると共に、ディジタル画像データＶ１の更新情報を第２の出力信号Ｖ２として画像データ転送領域制御手段７に出力する。
【００６０】
ここで、ディジタル画像復号器１ｂの第２出力信号である画像データ更新情報Ｖ２の内容については、実施の形態１で述べたものと同じであり、説明を割愛する。
【００６１】
これに対して、画像再構成用メモリ８は、ディジタル画像復号器１ｂの第１出力信号であるディジタル画像データＶ１を所定の格納部分に蓄積すると共に、蓄積したディジタル画像データＶ１の上にグラフィックデータ等の静止画像もしくは他の動画像データを重畳して、１枚の画像を再構成する。ここで、グラフィックデータ等の静止画像としては、例えば、ＣＰＵ等から送られてくる静止画像や文字を示した画像データがある。又、動画像データとしては、テレビ電話の場合では、ディジタル画像符号化器から送られてくるモニタリング画像がある。より具体的には、図１５の顔画像３１を例にとって説明すると、背景部分３３の隅位置に自己の顔画像をモニタリング画像として小さく映し出す様に、１枚の画面を再構成するのである。この場合、重畳された動画像データは、１フレーム前のＬＣＤ用メモリ４の対応部分に格納されている重畳された動画像データとは異なってくる。従って、画像再構成用メモリ８に格納されている重畳された動画像データについては、画像データ転送手段２ｂが、転送制御信号ＶＣＴの指示とは無関係に、別途これを読み出してＬＣＤ用メモリ４に転送することになる。
【００６２】
一方、画像データ転送領域制御手段７は、ディジタル画像復号器１ｂの第２出力信号ないしは画像データ更新情報Ｖ２に基づいて、画像再構成用メモリ８上にあるディジタル画像データＶ１の内でどのデータが更新されていない部分に対応しているかを判断する。そして、同手段７は、判断した結果（更新部分を特定する情報）を転送制御信号ＶＣＴとして画像データ転送手段２ｂに送信する。
【００６３】
他方、画像データ転送手段２ｂは、画像データ転送領域制御手段７の出力信号ＶＣＴの指示に基づき、画像再構成用メモリ８上にあるディジタル画像データＶ１の内で更新されている部分のみに対応したディジタル画像データＶ１Ａのみを画像再構成用メモリ８から読み出して、読み出したデータＶ１ＡをＬＣＤ用メモリ４に転送する。
【００６４】
その後、ＬＣＤ駆動回路５は、ＬＣＤ６を駆動して画像を表示するために、例えば、１秒間に６０回の割合でＬＣＤ用メモリ４からディジタル画像データを読み出してＬＣＤ６に転送し、その結果、ＬＣＤ６はＬＣＤ駆動回路５に駆動されて画像を表示する。
【００６５】
上記の通り本実施の形態によれば、画像データ転送手段２ｂは、画像データ転送領域制御手段７の出力に基づいて、画像再構成用メモリ８上にある、画像データの更新されている部分に対応したディジタル画像データのみをＬＣＤ用メモリ４に転送しているので、画像再構成用メモリ８を介在させることによってディジタル画像復号器１ｂが出力する復号された動画像に対してグラフィック等を重畳した上で、再構成後の総てのディジタル画像データをそのまま転送していた従来例と比べて、予めＬＣＤ用メモリ４上に蓄積されているデータと全く同じデータを転送してＬＣＤ用メモリ４上の同じデータの上に上書きしてしまうという無駄な転送動作を防止することが可能となり、消費電力の削減化を達成することができる。
【００６６】
本実施の形態においても、画像データ更新情報として、更新されていないブロックまたはフレームを特定する代わりに、更新されているブロックまたはフレームを特定するようにしても良い。
【００６７】
又、画像データ更新情報としては、ブロックやフレームの更新情報に限ることなく、複数のブロックからなる矩形領域やフィールド、レイヤ構造になっている場合には、特定のレイヤなど、画像内の特定領域の更新や、一連の画像情報における特定部分の更新を示すものであれば良い。
【００６８】
加えて、本実施の形態では最終的な画像出力手段をＬＣＤユニット３としているが、これに限られるものではない。画像出力用の画像データ蓄積手段を有している様な画像出力手段であれば良く、例えば、発光素子による画像表示装置を用いても良い。又、最終段として、ＬＣＤ６に代えて、画像データの蓄積手段または伝送手段を設けるようにしても良い。
【００６９】
（実施の形態３）
本実施の形態は実施の形態２の改良形に係わり、ディジタル画像復号器と画像再構成用メモリとの間に、実施の形態１の図１で示した画像データ転送手段２ａに相当するものを挿入した点に、特徴を有する。
【００７０】
図３は、この発明の実施の形態３に係るディジタル画像出力装置を示すものである。図３において、１ａは、圧縮されたディジタル信号であるビットストリームを復号するディジタル画像復号器であり、図１及び図２で示したディジタル画像復号器１ａと同一のものである。又、７は、ディジタル画像復号器１ａの第２出力信号Ｖ２が与える更新情報に基づき更新部分を特定し、その特定結果を転送制御信号ＶＣＴとして出力することにより第１画像データ転送手段２ａ及び第２画像データ転送手段２ｂを制御する画像データ転送領域制御手段であるが、本質的には同手段７は図１及び図２の手段７と同等のものであると言える。又、２ａは基本的に図１の手段２ａと同等のものであり、画像データ転送領域制御手段７の転送制御信号ＶＣＴが与える指示に基づいて、ディジタル画像復号器１ａの第１出力信号ないしはディジタル画像データＶ１の内から符号化時に画像データが更新された部分に相当するディジタル画像データＶ１Ａのみを画像再構成用メモリ８に転送する画像データ転送手段である。又、８は、第１画像データ転送手段２ａの出力信号Ｖ１Ａとグラフィックデータ等とより１枚のディジタル画像を再構成する画像再構成用データ蓄積手段としてのメモリである。又、２ｂは、画像データ転送領域制御手段７の転送制御信号ＶＣＴの指示に基づいて、画像再構成用メモリ８上にあるディジタル画像データの内から、符号化時の更新部分のディジタル画像データＶ１Ａのみに対応したディジタル画像データＶ１Ｂを読み出して同データＶ１ＢをＬＣＤ用メモリ４に転送する第２画像データ転送手段である。他方、３は、第２画像データ転送手段２ｂから転送されてきたディジタル画像データＶ１Ｂを表示するＬＣＤユニットであり、ＬＣＤユニット３は、第２画像データ転送手段２ｂから送られてきたディジタル画像データＶ１Ｂを蓄えるＬＣＤ用メモリ４と、ＬＣＤ用メモリ４のデータを読み出してＬＣＤ６を駆動するＬＣＤ駆動回路５と、画像データを実際に表示するＬＣＤ６とから構成されており、これらの部分４〜６が一体化されている。尚、回路１００Ｂは図１の回路１００や図２の回路１００Ａと同一機能を有する部分であり、画像データ更新情報Ｖ２に基づき符号化時の更新部分を特定し、当該特定結果に基づいて、ディジタル画像データＶ１の内で符号化時の更新部分のみに対応したディジタル画像データを転送する。
【００７１】
次に、本出力装置の動作について説明する。ディジタル画像復号器１ａは、入力信号であるビットストリームから、第１出力信号としてディジタル画像データＶ１を出力すると共に、ディジタル画像データＶ１の更新情報を第２出力信号Ｖ２として画像データ転送領域制御手段７に出力する。
【００７２】
ここで、ディジタル画像復号器１ａの第２出力信号である画像データ更新情報Ｖ２は、実施の形態１および２で説明したものと同一である。
【００７３】
又、実施の形態１と同様に、ディジタル復号器１ａの第１出力信号であるディジタル画像データＶ１として、更新されている符号化ブロックのみに該当するディジタル画像データを出力し、他方、第２出力信号Ｖ２として、更新されていない画像の符号化ブロックを特定する信号を出力することも可能である。
【００７４】
画像データ転送領域制御手段７は、ディジタル画像復号器１ａの画像データ更新情報Ｖ２を基にして、ディジタル画像復号器１ａの第１出力信号であるディジタル画像データＶ１の内で何れのデータが更新されていないかを判断すると共に、その判断より与えられる更新部分の特定結果を、転送制御信号ＶＣＴとして、第１画像データ転送手段２ａおよび第２画像データ転送手段２ｂに送信する。
【００７５】
第１画像データ転送手段２ａは、画像データ転送領域制御手段７の出力信号ＶＣＴに基づき、ディジタル画像データＶ１の内で符号化時に更新されている部分のみに対応するディジタル画像データＶ１Ａを画像再構成用メモリ８に転送する。
【００７６】
画像再構成用メモリ８は、第１画像データ転送手段２ａの出力信号であるディジタル画像データＶ１Ａに、グラフィックデータ等の静止画像もしくは他の動画像データを重畳して、１枚の画像を再構成する。
【００７７】
第２画像データ転送手段２ｂは、画像データ転送領域制御手段７の出力信号ＶＣＴに基づき、画像再構成用メモリ８上にあるディジタル画像データの内で符号化時に更新されている部分のみに対応するディジタル画像データＶ１Ｂを読み出してＬＣＤ用メモリ４に転送する。
【００７８】
ＬＣＤ駆動回路５は、ＬＣＤ６を駆動して画像を表示するために、例えば、１秒間に６０回の割合でＬＣＤ用メモリ４からディジタル画像データを読み出してＬＣＤ６に転送し、ＬＣＤ６は、ＬＣＤ駆動回路５に駆動されて画像を表示する。
【００７９】
本実施の形態によれば、第１画像データ転送手段２ａは、画像データ転送領域制御手段７の出力信号ＶＣＴに基づいてディジタル画像復号器１ａの第１出力信号であるディジタル画像データＶ１の内で符号化時に更新されている部分のみに該当するディジタル画像データＶ１Ａを画像再構成用メモリ８に転送しており、しかも、第２画像データ転送手段２ｂは、画像再構成用メモリ８上にあるディジタル画像データの内で符号化時に更新されている部分のみに対応するディジタル画像データＶ１ＢをＬＣＤ用メモリ４に転送しているので、予め画像再構成用メモリ８上にあるデータと全く同じデータを転送して同メモリ８上に上書きするという無駄な転送動作と、予めＬＣＤ用メモリ４上にあるデータと全く同じデータを転送して同メモリ４上に上書きするという無駄な転送動作を共に防止することが可能となり、消費電力をより一層削減することができる。
【００８０】
本実施の形態では、画像データ更新情報Ｖ２として、更新されていないブロックまたはフレームを特定するものとしたが、更新されているブロックまたはフレームを特定するものでも良い。
【００８１】
又、画像データ更新情報としては、ブロックやフレームの更新情報に限ることなく、複数のブロックからなる矩形領域やフィールドなど、画像内の特定領域の更新や、一連の画像情報における特定部分の更新を示すものであれば良い。
【００８２】
又、本実施の形態では最終的な画像出力手段をＬＣＤユニット３としているが、これに限るものではなく、画像出力用の画像データ蓄積手段を持っているような画像出力手段であれば良い。
【００８３】
（実施の形態４）
図４は、この発明の実施の形態４に係るディジタル画像出力装置を示すブロック図である。図４において、９は、入力したディジタル画像データを符号化してビットストリームＶ１として出力する一方、符号化された画像をモニタリングするためのモニタリング用画像データＶ２を出力すると共に、符号化時の画像データの更新の有無に関する情報を与えるモニタリング用画像データ更新情報Ｖ３を出力するディジタル画像符号化器ないしはディジタル画像符号化装置である。又、７は、ディジタル画像符号化器９の第３出力信号Ｖ３に基づいて更新部分を特定し、その特定結果を転送制御信号ＶＣＴとして出力することで画像データ転送手段２ａを制御する画像データ転送領域制御手段である。又、２ａは、画像データ転送領域制御手段７の転送制御信号ＶＣＴが与える指示に基づいて、ディジタル画像符号化器９の第２出力信号であるモニタリング用画像データＶ２の内から符号化時の更新部分のモニタリング用画像データＶ２ＡのみをＬＣＤ用メモリ４に転送する画像データ転送手段である。又、３は、画像データ転送手段２ａから転送されてきたモニタリング用画像データＶ２Ａを表示するＬＣＤユニットであり、ＬＣＤユニット３は、画像データ転送手段２ａから送られてきたモニタリング用画像データを蓄積するモニタリング用画像データ蓄積装置としてのＬＣＤ用メモリ４と、ＬＣＤ用メモリ４のデータを読み出してＬＣＤ６を駆動するＬＣＤ駆動回路５と、画像データを実際に表示するＬＣＤ６とから構成されており、これらの部分４〜６が一体となっている。尚、モニタリング用画像データ転送装置２００は、モニタリング用画像データ更新情報Ｖ３に基づき符号化時に画像データが更新された部分（更新部分）を特定し、その特定結果に基づいて、モニタリング用画像データＶ２の内から符号化時に更新されている部分（更新部分）のみに対応したモニタリング用画像データＶ２Ａを抽出して転送する機能を有している。
【００８４】
次に、本出力装置の動作について説明する。ディジタル画像符号化器９は、入力信号である画像データから第１出力信号Ｖ１として符号化されたビットストリームを出力する。ビットストリームは、例えば、送信データとして送信されたり、蓄積データとして蓄積されたりする。又、ディジタル画像符号化器９は、第１出力信号Ｖ１である符号化されたビットストリームないしは動画像をモニタリングするために、ディジタル符号化器９の内部にあるローカルデコーダによって復号化された第２出力信号としてのモニタリング用画像データＶ２を画像データ転送手段２ａに出力する。ここで、第２出力信号であるモニタリング画像データＶ２は、第１出力信号である符号化されたビットストリームＶ１をデコードして画像データに変換したものに相当する。更に、ディジタル画像符号化器９は、第２出力信号であるモニタリング用画像データＶ２の更新情報を与える第３出力信号Ｖ３を画像データ転送領域制御手段７に出力する。
【００８５】
ここで、ディジタル画像符号化器９の第３出力信号であるモニタリング用画像データ更新情報Ｖ３の内容については、実施の形態１（図１）におけるディジタル復号器１ａの画像データ更新情報Ｖ２と同一である。
【００８６】
又、実施の形態１と同様に、ディジタル符号化器９の第２出力信号であるモニタリング用画像データＶ２としては、更新されている符号化ブロックに対応したモニタリング用画像データのみを出力し、第３出力信号Ｖ３としては、更新されていない符号化ブロックを特定する信号、即ち、出力されていない符号化ブロックを特定する信号を出力することも可能である。
【００８７】
画像データ転送領域制御手段７は、ディジタル画像符号化器９の第３出力信号であるモニタリング用画像データ更新情報Ｖ３に基づいて、ディジタル画像符号化器９の第２出力信号であるモニタリング用画像データＶ２の内の何れのデータが更新されていないかを判断すると共に、その判断により与えられる更新部分特定結果を転送制御信号ＶＣＴとして画像データ転送手段２ａに送信する。
【００８８】
画像データ転送手段２ａは、画像データ転送領域制御手段７の出力信号ＶＣＴに基づき、ディジタル画像符号化器９の第２出力信号であるモニタリング用画像データＶ２の内で更新されている部分のモニタリング用画像データＶ２ＡのみをＬＣＤ用メモリ４に転送する。
【００８９】
ＬＣＤ駆動回路５は、ＬＣＤ６を駆動して画像を表示するために、例えば、１秒間に６０回の割合でＬＣＤ用メモリ４から画像データを読み出してＬＣＤ６に転送し、ＬＣＤ６はＬＣＤ駆動回路５に駆動されて画像を表示する。
【００９０】
本実施の形態によれば、画像データ転送手段２ａは、画像データ転送領域制御手段７の出力信号ＶＣＴに基づいてディジタル画像符号化器９の第２出力信号であるモニタリング用画像データＶ２の内で更新されている部分のみをＬＣＤ用メモリ４に転送しているので、ディジタル画像符号化器９のモニタリング用画像データの総てを転送していた従来例と比べて、予めＬＣＤ用メモリ４上にあるデータと全く同じデータを転送して同メモリ４上に上書きしてしまうと言った無駄な転送動作がなくなり、消費電力を削減することができる。
【００９１】
本実施の形態では、画像データ更新情報として、更新されていないブロックまたはフレームを特定するものとしたが、更新されているブロックまたはフレームを特定するものでも良い。
【００９２】
又、画像データ更新情報としては、ブロックやフレームの更新情報に限ることなく、複数のブロックからなる矩形領域やフィールド、レイヤ構造になっている場合は特定のレイヤなど、画像内の特定領域の更新や、一連の画像情報における特定部分の更新を示すものであれば良い。
【００９３】
又、本実施の形態では最終的な画像出力手段をＬＣＤユニット３としているが、これに限られるものではない。画像出力用の画像データ蓄積手段を持っているような画像出力手段であれば、例えば、発光素子による画像表示装置でも良い。又、最終段としては、ＬＣＤ６に代えて、画像データを蓄積する手段または伝送する手段を設けても良い。
【００９４】
（実施の形態５）
図５は、この発明の実施の形態５に係るディジタル画像出力装置を示すブロック図である。図５において、９ａはディジタル画像データを符号化するディジタル画像符号化器であり、８はディジタル画像符号化器９ａの第２出力信号Ｖ２とグラフィックデータ等とより１枚のディジタル画像を再構成する画像再構成用メモリであり、７はディジタル画像符号化器９ａの第３出力信号Ｖ３に基づいて画像データ転送手段２ｂを制御する画像データ転送領域制御手段であり、２ｂは画像再構成用メモリ８上にあるモニタリング用画像データを画像データ転送領域制御手段７の指示に従ってＬＣＤユニット３に転送する画像データ転送手段であり、３は画像データ転送手段２ｂから転送されてきたモニタリング用画像データＶ２Ａを表示するＬＣＤユニットである。なお、ＬＣＤユニット３は、画像データ転送手段２ｂから送られてきたモニタリング用画像データＶ２Ａを蓄えるＬＣＤ用メモリ４と、ＬＣＤ用メモリ４のデータを読み出してＬＣＤ６を駆動するＬＣＤ駆動回路５と、画像データを実際に表示するＬＣＤ６とから構成されており、これらの部分４〜６が一体化されている。
【００９５】
次に、動作について説明する。ディジタル画像符号化器９ａは、入力信号である画像データから第１出力信号Ｖ１として符号化されたビットストリームを出力する。また、同符号化器９ａは、第１出力信号Ｖ１である符号化されたビットストリームないしは動画像をモニタリングするために、ディジタル符号化器９ａの内部にあるローカルデコーダより、第２出力信号であるモニタリング用画像データＶ２を画像再構成用メモリ８に出力する。ここで、第２出力信号であるモニタリング用画像データＶ２は、第１出力信号である符号化されたビットストリームＶ１をデコードして画像データに変換したものに相当する。更に、同符号化器９ａは、第２出力信号であるモニタリング用画像データＶ２の更新情報を第３出力信号Ｖ３として画像データ転送領域制御手段７に出力する。
【００９６】
ここで、ディジタル画像符号化器９ａの第３出力信号であるモニタリング用画像データ更新情報Ｖ３の内容については、実施の形態１（図１）におけるディジタル復号器１ａの画像データ更新情報Ｖ２と同じである。
【００９７】
画像再構成用メモリ８は、ディジタル画像符号化器９ａの第２出力信号であるモニタリング用画像データＶ２に、グラフィックデータ等の静止画像もしくは他の動画像データを重畳して、１枚の画像を再構成する。
【００９８】
画像データ転送領域制御手段７は、ディジタル画像符号化器９ａの第３出力信号であるモニタリング用画像データ更新情報Ｖ３に基づいて、画像再構成用メモリ８上にあるモニタリング用画像データＶ２の内で何れのデータが更新されていないかを判断し、その判断より得られる更新部分の特定結果を、転送制御信号ＶＣＴとして、画像データ転送手段２ｂに送信する。
【００９９】
画像データ転送手段２ｂは、画像データ転送領域制御手段７の出力信号に基づき、画像再構成用メモリ８上にあるモニタリング用画像データＶ２の内で更新されている部分のみに対応したモニタリング用画像データＶ２Ａを読み出した上で同データＶ２ＡをＬＣＤ用メモリ４に転送する。
【０１００】
ＬＣＤ駆動回路５は、ＬＣＤ６を駆動して画像を表示するために、例えば、１秒間に６０回の割合でＬＣＤ用メモリ４から画像データを読み出してＬＣＤ６に転送し、ＬＣＤ６はＬＣＤ駆動回路５に駆動され画像を表示する。
【０１０１】
本実施の形態によれば、画像データ転送手段２ｂは、画像データ転送領域制御手段７の出力信号に基づいて、画像再構成用メモリ８上にあるモニタリング用画像データＶ２の内で更新されている部分のみに対応したモニタリング用画像データＶ２ＡのみをＬＣＤ用メモリ４に転送しているので、ディジタル画像符号化器９ａから出力されたモニタリング用画像データＶ２にグラフィック等を重畳して得られた再構成後のモニタリング用画像データの総てを転送していた従来例と比べて、予めＬＣＤ用メモリ４上にあるデータと全く同じデータを転送して同メモリ４上に上書きするという無駄な転送動作をなくすことができ、以て消費電力の削減化を図ることができる。
【０１０２】
本実施の形態では、モニタリング用画像データ更新情報Ｖ３として、更新されていないブロックまたはフレームを特定するものとしたが、更新されているブロックまたはフレームを特定するものでも良い。
【０１０３】
又、モニタリング用画像データ更新情報としては、ブロックやフレームの更新情報に限ることなく、複数のブロックからなる矩形領域やフィールド、レイヤ構造になっている場合は特定のレイヤなど、画像内の特定領域の更新や、一連の画像情報における特定部分の更新を示すものであれば良い。
【０１０４】
又、本実施の形態では最終的な画像出力手段をＬＣＤユニット３としているが、これに限られるものではなく、画像出力用の画像データ蓄積手段を持っているような画像出力手段であれば良い。例えば、発光素子による画像表示装置を用いても良い。又、最終段には、ＬＣＤ６の様なディスプレイに代えて、画像データの蓄積手段または伝送手段を設けても良い。
【０１０５】
（実施の形態６）
図６は、この発明の実施の形態６に係るディジタル画像出力装置を示すブロック図である。図６において、回路２００Ｂは図４の回路２００や図５の回路２００Ａと同一機能を有するものである。又、９はディジタル画像データを符号化するディジタル画像符号化器、７はディジタル画像符号化器９の第３出力信号Ｖ３に基づいて第１画像データ転送手段２ａ及び第２画像データ転送手段２ｂを制御する画像データ転送領域制御手段、２ａはディジタル画像符号化器９の第２出力信号であるモニタリング用画像データＶ２を画像データ転送領域制御手段７の指示に基づいて画像再構成用メモリ８に転送する第１画像データ転送手段、８は第１画像データ転送手段２ａの出力信号Ｖ２Ａとグラフィックデータ等とより１枚のディジタル画像を構成する画像再構成用メモリ、２ｂは画像再構成用メモリ８上にあるモニタリング用画像データＶ２Ａを画像データ転送領域制御手段７の指示に基づいてＬＣＤユニット３に転送する第２画像データ転送手段、３は第２画像データ転送手段２ｂから転送されてきた画像データＶ２Ｂを表示するＬＣＤユニットである。なお、ＬＣＤユニット３は、第２画像データ転送手段２ｂから送られてきたモニタリング用画像データＶ２Ｂを蓄えるＬＣＤ用メモリ４と、ＬＣＤ用メモリ４のデータを読み出してＬＣＤ６を駆動するＬＣＤ駆動回路５と、モニタリング用画像データを実際に表示するＬＣＤ６とから構成されており、これらの要素４〜６が一体となっている。
【０１０６】
次に、動作について説明する。ディジタル画像符号化器９は、入力信号である画像データから第１出力信号Ｖ１として符号化されたビットストリームを出力する。また、ディジタル画像符号化器９は、第１出力信号Ｖ１である符号化されたビットストリームないしは画像をモニタリングするために、ディジタル符号化器９の内部にあるローカルデコーダより、第２出力信号としてモニタリング用画像データＶ２を第１画像データ転送手段２ａに出力する。ここで、モニタリング用画像データＶ２は、第１出力信号Ｖ１である符号化されたビットストリームをデコードして画像データに変換したものに相当する。更に、ディジタル画像符号化器９は、モニタリング用画像データＶ２の更新情報を第３出力信号Ｖ３として画像データ転送領域制御手段７に出力する。
【０１０７】
ここで、ディジタル画像符号化器９の第３出力信号であるモニタリング用画像データ更新情報Ｖ３の内容については、実施の形態１（図１）におけるディジタル復号器１ａの画像データ更新情報Ｖ２と同じである。
【０１０８】
又、実施の形態１と同様に、ディジタル符号化器９の第２出力信号であるモニタリング用画像データＶ２として、更新されている符号化ブロックのみを出力し、第３出力信号Ｖ３として更新されていない符号化ブロックを特定する信号、即ち、出力されていない符号化ブロックを特定する信号を出力することも可能である。
【０１０９】
画像データ転送領域制御手段７は、ディジタル画像符号化器９の第３出力信号であるモニタリング用画像データ更新情報Ｖ３に基づいて、ディジタル画像符号化器９の第２出力信号であるモニタリング用画像データＶ２の内のどのデータが更新されていないかを判断する。その判断に基づき得られた更新部分特定結果は、転送制御信号ＶＣＴとして、第１画像データ転送手段２ａ及び第２画像データ転送手段２ｂに送られる。
【０１１０】
第１画像データ転送手段２ａは、画像データ転送領域制御手段７の出力に基づき、ディジタル画像符号化器９のモニタリング用画像データＶ２の内で更新されている部分のみに対応するモニタリング用画像データＶ２Ａを画像再構成用メモリ８に転送する。
【０１１１】
画像再構成用メモリ８は、第１画像データ転送手段２ａの出力信号であるモニタリング用ディジタル画像データＶ２Ａに、グラフィックデータ等の静止画像もしくは他の動画像データを重畳して、１枚の画像を再構成する。
【０１１２】
第２画像データ転送手段２ｂは、画像データ転送領域制御手段７の出力に基づき、画像再構成用メモリ８上にあるモニタリング用画像データＶ２Ａの内で更新されている部分のみに対応するモニタリング用画像データＶ２Ｂを読み出してＬＣＤ用メモリ４に転送する。
【０１１３】
ＬＣＤ駆動回路５は、ＬＣＤ６を駆動して画像を表示するために、例えば、１秒間に６０回の割合でＬＣＤ用メモリ４から画像データを読み出してＬＣＤ６に転送し、ＬＣＤ６はＬＣＤ駆動回路５に駆動されて画像を表示する。
【０１１４】
本実施の形態によれば、第１画像データ転送手段２ａは、画像データ転送領域制御手段７の出力に基づいてディジタル画像符号化器９の第２出力信号であるモニタリング用画像データＶ２の内の更新されている部分のみを画像再構成用メモリ８に転送し、且つ、第２画像データ転送手段２ｂは、画像再構成用メモリ８上にあるモニタリング用画像データの内で更新されている部分のみをＬＣＤ用メモリ４に転送しているので、予め画像再構成用メモリ８上にあるデータと全く同じデータを転送して同メモリ８上に上書きするという無駄な転送動作が無くなり、更に、予めＬＣＤメモリ４上にあるデータと全く同じデータを転送して同メモリ４上に上書きするという無駄な転送動作もなくなり、消費電力をより一層削減することができる。
【０１１５】
本実施の形態では、モニタリング用画像データ更新情報として、更新されていないブロックまたはフレームを特定するものとしたが、更新されているブロックまたはフレームを特定するものでも良い。
【０１１６】
又、モニタリング用画像データ更新情報としては、ブロックやフレームの更新情報に限ることなく、複数のブロックからなる矩形領域やフィールド、レイヤ構造になっている場合は特定のレイヤなど、画像内の特定領域の更新や、一連の画像情報における特定部分の更新を示すものであれば良い。
【０１１７】
又、本実施の形態では最終的な画像出力手段をＬＣＤユニットとしているが、これに限るものではない。画像出力用の画像データ蓄積手段を持っているような画像出力手段であれば、例えば、発光素子による画像表示装置でも良い。又、最終的に画像データを蓄積または伝送する手段をＬＣＤ６に代えて設けても良い。
【０１１８】
（実施の形態７）
図７は、この発明の実施の形態７に係るディジタル画像復号装置を示すブロック図であり、例えば図１または図３におけるディジタル画像復号器１ａ、あるいは図２におけるディジタル画像復号器１ｂに相当している。図７において、１０はビットストリームの可変長記号を復号する可変長復号回路であり、可変長復号回路１０の第１出力信号である量子化された画像ブロックデータは、逆量子化回路１１及び逆ＤＣＴ回路１２を介して、加算器１３の第１入力信号となる。又、加算器１３の出力信号は、そのままブロック毎のディジタル画像データＶ１として出力されると共に、メモリ１４に蓄積される。他方で、可変長復号回路１０の第２出力信号である動きベクトルを示す符号は、動きベクトル復号回路１５によって動きベクトルの情報となる。そして、動き補償回路１６は、メモリ１４上にある画像データと動きベクトル復号回路１５が出力する動きベクトル情報とから予測画像データを作成し、同データを加算器１３の第２入力信号として出力する。
【０１１９】
又、可変長復号回路１０は、可変長復号を行った結果、第１出力信号である量子化された画像ブロックデータが総て「０」であり、第２出力信号である動きベクトルを示す符号が動きベクトルが「０」であることを示していた場合には、該当する符号化ブロックが更新されていないと判断し、可変長復号回路１０の第３出力信号である画像データ更新情報Ｖ２として、該当ブロックが更新されていないことを示す信号を出力する。これに対して、第１出力信号である量子化された画像ブロックデータが総て「０」ではない、あるいは、第２出力信号である動きベクトルを示す符号が動きベクトルが「０」ではない場合には、同回路１０は、該当するブロックは更新されていると判断して、画像データ更新情報Ｖ２としては、該当ブロックが更新されていることを示す信号を出力する。
【０１２０】
尚、メモリ１４上にある画像データをディジタル画像復号装置全体の画像データとして出力することが可能な場合は、これを画像データとして出力しても良い。
【０１２１】
次に、本発明における実施の形態７の動作を説明するために、図８に従来のディジタル画像復号装置を示す。図８は、文献「ＭＰＥＧ−４のすべて」（（株）工業調査会発行）のｐ．３９〜ｐ．４０に示された従来のディジタル画像復号装置であり、例えば図１１に示した従来のディジタル画像出力装置におけるディジタル画像復号器１に相当するものである。
【０１２２】
図８において、逆量子化回路１１、逆ＤＣＴ回路１２、加算器１３、メモリ１４、動きベクトル復号回路１５、及び動き補償回路１６の各動作は、図７に示した本発明における実施の形態７の対応するものと同じである。これに対して、可変長復号回路１０ａは、第１出力信号を逆量子化回路１１へ出力し、第２出力信号を動きベクトル復号回路１５へ出力するのみであって、図７に示した様な第３出力信号Ｖ２に相当する出力は存在しない。
【０１２３】
先ず、従来例の図８について、その動作を説明する。ビットストリームは可変長復号回路１０ａに入力され、同回路１０ａは第１出力信号として量子化されたＤＣＴ係数を出力すると共に、第２出力信号として動きベクトル信号を出力する。第１出力信号は逆量子化回路１１によって逆量子化され、更に逆ＤＣＴ回路１２によって逆ＤＣＴが施されて、マクロブロックデータとして加算器１３の第１入力端に入力される。加算器１３の出力信号は画像データとして出力されると共に、次の画像の復号に使用するためにメモリ１４内に蓄積される。
【０１２４】
他方、可変長復号器１０ａの第２出力信号は動きベクトル復号器１５によって動きベクトルデータとなる。そして、動き補償回路１６は、メモリ１４上にある直前の画像データと動きベクトル復号器１５が出力する動きベクトルデータとから動き補償を行い、得られたデータは加算器１３によって逆ＤＣＴ回路１２の出力信号と加算されて、画像データとなる。
【０１２５】
ここで、あるマクロブロックを可変長復号回路１０ａによって復号を行った結果、第１出力信号が「０」であり、且つ第２出力信号である動きベクトルを表す情報もまた「０」であった場合には、動き補償回路１６の出力としてはメモリ１４上のデータがそのまま出力されることとなり、その結果、加算器１３の出力信号、従って画像データとしては、メモリ１４上にある過去の画像データと全く同じものが出力されることになる。
【０１２６】
これらの動作は、従来のディジタル画像出力装置において説明した様に、ディジタル画像出力装置にとっては無駄な電力消費の要因となる。
【０１２７】
次に、図７に示した本発明における実施の形態７の動作について説明する。図７の本装置を図８の従来のディジタル復号装置と比べると、可変長復号回路１０以外の部分の動作は全く同じである。
【０１２８】
可変長復号回路１０は、あるマクロブロックの復号を行った結果、第１出力信号が「０」であり、且つ第２出力信号である動きベクトルを表す情報もまた「０」であった場合には、第３出力信号として、復号中のマクロブロックデータの画像出力は過去のデータと全く同じものが出力されるということを示す信号Ｖ２を画像データ更新情報として出力する。これにより、実施の形態１ないし３に示した各ディジタル画像出力装置の実現が可能となり、予め画像データ蓄積手段にあるデータと全く同じデータを転送して上書きしてしまうという無駄な電力消費を削減することが可能となる。
【０１２９】
尚、図７の画像データ更新情報Ｖ２は、全く同じデータが出力されるマクロブロックがどれなのかを特定できる信号であれば良い。
【０１３０】
本実施の形態の上述の記載はマクロブロックの場合の適用例であったが、フレームがスキップされた場合についても、本実施の形態を適用可能である。即ち、あるフレームがスキップされているときは、例えば、そのフレームに対応する符号化データが存在しない、あるいは、ヘッダのみが存在することとなる。図７の可変長復号回路１０は、あるフレームの復号を行った結果、該当フレームに対応する符号化データが存在しない、あるいは、ヘッダのみが存在することを検出した場合には、該当フレームがスキップされていると判定し、第３出力信号として、復号中のフレームについては過去のフレームと全く同じものが出力されることを示す画像データ更新情報Ｖ２を出力する。これにより、フレーム単位の制御が可能となる。又、図７の可変長復号回路１０は、マクロブロック単位の画像データ更新情報とフレーム単位の画像データ更新情報とを同時に出力しても良い。この場合には、マクロブロック単位とフレーム単位の両方の制御が可能となる。
【０１３１】
本実施の形態では、画像データ更新情報Ｖ２として、更新されていないブロックまたはフレームを特定するものとしたが、更新されているブロックまたはフレームを特定するものでも良い。
【０１３２】
又、画像データ更新情報Ｖ２としては、ブロックやフレームの更新情報に限ることなく、複数のブロックからなる矩形領域やフィールド、レイヤ構造になっている場合は特定のレイヤなど、画像内の特定領域の更新や、一連の画像情報における特定部分の更新を示すものであれば良い。
【０１３３】
又、画像データ更新情報Ｖ２は可変長復号回路１０から出力されるものとしているが、画像データの更新を判断できるような手段を別に設定しても良い。例えば、可変長復号回路１０の第１出力信号と第２出力信号とより符号化時の画像データの更新の有無を判断して、画像データ更新情報を出力する手段を追加しても良い。この場合には、可変長復号回路１０は図８の従来例の可変長復号回路１０ａと同じ動作を行うこととなる。
【０１３４】
（実施の形態８）
図９は、この発明の実施の形態８に係るディジタル画像符号化装置を示すブロック図であり、例えば図４または図６におけるディジタル画像符号化器９、あるいは図５におけるディジタル画像符号化器９ａに相当している。図９において、１７は入力信号を第１入力とする減算器であり、減算器１７の出力信号は、ＤＣＴ回路１８及び量子化器１９を通して、ＤＣ／ＡＣ予測回路２０と逆量子化回路１１とに入力される。この内、ＤＣ／ＡＣ予測回路２０の出力信号は可変長符号化回路２１の第１入力端に与えられ、可変長符号化回路２１は第１出力信号としてビットストリームＶ１を出力する。他方、逆量子化回路１１の出力信号は、逆ＤＣＴ回路１２を通して、加算器１３の第１入力端に与えられる。そして、加算器１３の出力信号はメモリ１４に与えられ、メモリ１４の出力信号は動き補償回路１６の第１入力端と動き検出回路２２の第１入力端とに与えられる。又、動き検出回路２２の第２入力端には入力信号である画像データが与えられ、動き検出回路２２の出力信号は、動き補償回路１６の第２入力端と動きベクトル予測回路２３とに与えられる。動きベクトル予測回路２３の出力信号は可変長符号化回路２１の第２入力端に与えられる。又、動き補償回路１６の出力信号は減算器１７の第２入力端と加算器１３の第２入力端とに与えられる。
【０１３５】
又、メモリ１４は、その画像データをモニタリング用画像データＶ２として出力し、可変長符号化回路２１の第２出力信号はモニタリング用画像データ更新情報Ｖ３として出力される。
【０１３６】
次に、本発明における実施の形態８の動作を説明するために、図１０に従来のディジタル画像符号化装置のブロック図を示す。図１０は、既述した文献「ＭＰＥＧ−４のすべて」（（株）工業調査会発行）のｐ．３９〜ｐ．４０に示された従来のディジタル画像符号化装置である。
【０１３７】
図１０において、減算器１７、ＤＣＴ回路１８、量子化回路１９、ＤＣ／ＡＣ予測回路２０、逆量子化回路１１、逆ＤＣＴ回路１２、加算器１３、メモリ１４、動き補償回路１６、動き検出回路２２、及び動きベクトル予測回路２３の各動作は、図９に示した本発明における実施の形態８の対応するものと同じである。但し、可変長符号化回路２１ａは、ビットストリームを出力するのみであり、モニタリング用画像データ更新情報を出力することはない。
【０１３８】
先ず、従来例の図１０について、その動作を説明する。図１０において、逆量子化回路１１、逆ＤＣＴ回路１２、加算器１３、メモリ１４、及び動き補償回路１６からなる構成は、図８に示したディジタル画像復号器の一部と全く同じ構成である。これは、符号化における動き補償による予測画像の作成に復号の処理が必要となるためである。よって、実施の形態７においてディジタル画像復号器の場合に説明したものと同じ様な状況が、図１０に示したディジタル符号化器においても発生する。即ち、量子化回路１９の出力信号が「０」である、従って逆ＤＣＴ回路１２の出力信号が「０」であり、且つ動き検出回路２２の出力信号である動きベクトルを表す情報もまた「０」であった場合には、動き補償回路１６はメモリ１４内のデータをそのまま出力することとなり、その結果、加算器１３の出力信号、従ってモニタリング用画像データとしては、メモリ１４上にある過去の画像データと全く同じものが出力されることになる。
【０１３９】
これらの動作は、従来のディジタル画像出力装置において説明した様に、ディジタル画像出力装置にとっては無駄な電力消費の原因となる。
【０１４０】
次に、図９に示した本発明における実施の形態８の動作について説明する。図９の本符号化装置を図１０の従来のディジタル符号化器装置と比べると、可変長符号化回路２１以外の部分の動作は同じである。
【０１４１】
可変長符号化回路２１は、あるマクロブロックの符号化を行った結果、第１入力信号であるＤＣ／ＡＣ予測回路２０の出力信号より量子化回路１９の出力信号が「０」であると判断され、且つ第２入力信号である動きベクトル予測回路２３の出力信号より動きベクトルが「０」であると判断された場合には、その第２出力信号として、符号化中のマクロブロックデータの画像出力は過去のデータと全く同じものが出力されるということを示す信号であるモニタリング用画像データ更新情報Ｖ３を出力する。これに対して、第１入力信号であるＤＣ／ＡＣ予測回路２０の出力信号より量子化回路１９の出力信号が「０」ではない、あるいは、第２入力信号である動きベクトル予測回路２３の出力信号より動きベクトルが「０」ではない場合には、可変長符号化回路２１は、該当するブロックは更新されているものと判断し、その第２出力信号として、符号化中のマクロブロックデータの画像出力は過去のデータとは異なるものが出力されるということを示す信号であるモニタリング用画像データ更新情報Ｖ２を出力する。これにより、本実施の形態４ないし６に示されたディジタル画像出力装置の実現が可能となり、予め画像データ蓄積手段にあるデータと全く同じデータを転送して上書きするという無駄な電力消費を削減することが可能となる。
【０１４２】
尚、モニタリング用画像データ更新情報Ｖ３としては、全く同じデータが出力されるマクロブロックがどれなのかを特定できるものであれば良く、上記の方法に限られるものではない。
【０１４３】
本実施の形態における今までの説明はマクロブロックの適用例についてのものであったが、フレームをスキップする場合についても、本実施の形態を適用可能である。フレームスキップは、可変長符号化回路２１において符号量制御を行った結果として実施される。よって、可変長符号化回路２１がフレームスキップを行うと決定した場合には、同回路２１はフレームスキップを実行すると共に、その第２出力信号として、符号化中のフレームは過去のフレームと全く同じものとして符号化されることを示す信号であるモニタリング用画像データ更新情報Ｖ３を出力する。これにより、フレーム単位の制御が可能となる。又、同回路２１は、マクロブロック単位のモニタリング用画像データ更新情報とフレーム単位のモニタリング用画像データ更新情報とを同時に出力する様にしても良い。この場合には、マクロブロック単位とフレーム単位との両方の制御が可能となる。
【０１４４】
本実施の形態では、モニタリング用画像データ更新情報Ｖ３として、更新されていないブロックまたはフレームを特定するものとしたが、更新されているブロックまたはフレームを特定するものでも良い。
【０１４５】
又、モニタリング用画像データ更新情報Ｖ３としては、ブロックやフレームの更新情報に限ることなく、複数のブロックからなる矩形領域やフィールド、レイヤ構造になっている場合は特定のレイヤなど、画像内の特定領域の更新や、一連の画像情報における特定部分の更新を示すものであれば良い。
【０１４６】
又、モニタリング用画像データ更新情報Ｖ３は可変長符号化回路２１から出力されるものとしているが、モニタリング用画像データの更新を判断できるような手段を別途設定する様にしても良い。例えば、可変長符号化回路２１の第１入力信号と第２入力信号とよりモニタリング用画像データの更新を判断して、モニタリング用画像データ更新情報を出力する手段を追加しても良い。この場合には、可変長符号化回路２１は従来例の可変長符号化回路２１ａと同じ動作を行うこととなる。
【０１４７】
【発明の効果】
この発明は、以上に説明したように構成されているので、以下に示すような効果を奏する。
【０１４８】
この発明に係るディジタル画像データ出力装置によれば、当該装置における電力消費を削減することが可能となる。
【図面の簡単な説明】
【図１】この発明の実施の形態１を示すブロック図である。
【図２】この発明の実施の形態２を示すブロック図である。
【図３】この発明の実施の形態３を示すブロック図である。
【図４】この発明の実施の形態４を示すブロック図である。
【図５】この発明の実施の形態５を示すブロック図である。
【図６】この発明の実施の形態６を示すブロック図である。
【図７】この発明の実施の形態７を示すブロック図である。
【図８】従来のディジタル画像復号装置を示すブロック図である。
【図９】この発明の実施の形態８を示すブロック図である。
【図１０】従来のディジタル画像符号化装置を示すブロック図である。
【図１１】従来のディジタル画像出力装置を示す図である。
【図１２】ブロック毎の画像出力から１画面のデータを再構成する様子を示す図である。
【図１３】予測符号化の様子を示す図である。
【図１４】フレームスキップの様子を示す図である。
【図１５】テレビ電話において伝送される典型的な画像である顔画像を説明するための図である。
【符号の説明】
１  ディジタル画像復号器、２  画像データ転送手段、３  ＬＣＤユニット、４  ＬＣＤ用メモリ、５  ＬＣＤ駆動回路、６  ＬＣＤ、７  画像データ転送領域制御手段、８  画像再構成用メモリ、９  ディジタル画像符号化器、１０  可変長復号回路、１１  逆量子化回路、１２  逆ＤＣＴ回路、１３  加算器、１４メモリ、１５  動きベクトル復号回路、１６  動き補償回路、１７  減算器、１８  ＤＣＴ回路、１９  量子化回路、２０  ＤＣ／ＡＣ予測回路、２１  可変長符号化回路、２２  動き検出回路、２３  動きベクトル予測回路、２４  符号化を行おうとしている現在のフレーム、２５  符号化ブロック、２６  過去のフレーム、２７  過去のフレームにおける符号化ブロックに対応する位置のブロック、２８  参照ブロック、２９  動きベクトル、３０  スキップされたフレーム、３１  顔画像、３２  人物部分、３３  背景部分。
【図１】
0003613514.tif 000002
【図２】
0003613514.tif 000003
【図３】
0003613514.tif 000004
【図４】
0003613514.tif 000005
【図５】
0003613514.tif 000006
【図６】
0003613514.tif 000007
【図７】
0003613514.tif 000008
【図８】
0003613514.tif 000009
【図９】
0003613514.tif 000010
【図１０】
0003613514.tif 000011
【図１１】
0003613514.tif 000012
【図１２】
0003613514.tif 000013
【図１３】
0003613514.tif 000014
【図１４】
0003613514.tif 000015
【図１５】
0003613514.tif 000016